(57)【要約】【課題】特別な注意を払うことなく、簡単に開け閉めでき、開口部が開いていたり半開きになっていた場合でも、自然に閉鎖状態となり、開口部が完全な閉状態ではない場合でも、部分的な閉状態が可能であり、安全性が確保され、開口部の一側から他側にかけて段階的にスムーズに開閉できる、開閉作業性の良いバッグ類を提供する。【解決手段】バッグ本体２の開口部３内の前後に一方及び他方の蓋布片４，４を設け、一方及び他方の蓋布片４，４の対向部に互いに係脱自在とした一方及び他方の係止具５，５を設け、一方及び他方の係止具５，５は、互いに磁着される横長形状の磁石具６により形成され、磁石具６は、横長形状の複数片の小磁石片６ａ，６ａが略棒状に連接して形成される。【選択図】図１
2018038596.tif 000002
【特許請求の範囲】
【請求項１】
バッグ本体の開口部前後の対向部に互いに係脱自在とした一方及び他方の係止具を設けたバッグ類において、
前記一方及び他方の係止具は、互いに磁着される横長形状の磁石具により形成されており、前記磁石具は、横長形状の複数片の小磁石片が略棒状に連接して形成されていることことを特徴とするバッグ類。
【請求項２】
バッグ本体の開口部内の前後に一方及び他方の蓋布片を設け、一方及び他方の蓋布片の対向部に互いに係脱自在とした一方及び他方の係止具を設けたバッグ類において、
前記一方及び他方の係止具は、互いに磁着される横長形状の磁石具により形成されており、前記磁石具は、横長形状の複数片の小磁石片が略棒状に連接して形成されていることことを特徴とするバッグ類。
【請求項３】
請求項２に記載のバッグ類において、
前記一方及び他方の係止具は、互いに磁着される磁石具により形成され、磁石具は、前記蓋布片の略中央部に設けられた中央磁石具と、前記蓋布片の略両側部に設けられた側部磁石具とよりなり、中央磁石具と側部磁石具との間にはバッグ本体の内部に手先を挿入可能とした隙間部分が形成されていることを特徴とするバッグ類。
【請求項４】
請求項２に記載のバッグ類において、
前記一方及び他方の係止具は、互いに磁着される磁石具により形成され、磁石具は、前記蓋布片の略両側部に設けられた側部磁石具よりなり、左右の側部磁石具の間にはバッグ本体の内部に手先を挿入可能とした隙間部分が形成されていることを特徴とするバッグ類。
【請求項５】
前記磁石具は、横長略矩形状又は横長略丸棒状の複数片の小磁石片が、略棒状に互いに端部を接触させて又は端部間に隙間を有して連接して形成されていることを特徴とする請求項１乃至４のいずれか１項に記載のバッグ類。
【請求項６】
前記磁石具は、前記蓋布片の先端部分の内部に封入されていることを特徴とする請求項２乃至５のいずれか１項記載のバッグ類。
【請求項７】
前記磁石具は、横長形状の複数片の小磁石片が略棒状に連接して形成され、小磁石片が棒状に連接した状態で、袋体の内部に位置決め挿入され、該袋体が前記蓋布片の先端部分の内部に逢着されて設けられていることを特徴とする２乃至５のいずれか１項記載のバッグ類。
【請求項８】
前記一方及び他方の蓋布片の両側部と、前記バッグ本体の開口部内面の両側部との間には、内部に手先を挿入可能とした開口部分が形成されていることを特徴とする請求項２乃至７のいずれか１項記載のバッグ類。
【発明の詳細な説明】
【技術分野】
【０００１】
本発明は、手提げバッグ、肩掛けバッグ、或いは、持ち手のないセカンドバッグなどのバッグ類、特にその開口部の開閉構造に関する。
【背景技術】
【０００２】
従来の上記手提げバッグのようなバッグ類の開口部の開閉構造に用いる開閉装置としては、一般的に、スライドファスナー、面ファスナー、或いは、ホックが使用されており（下記特許文献１参照）、開閉装置を有しない開口部の構造もある。
【先行技術文献】
【特許文献】
【０００３】
【特許文献１】特開２００７−３１９２１８号公報
【発明の概要】
【発明が解決しようとする課題】
【０００４】
特許文献１に示されるような手提げバッグは、その開閉装置としてスライドファスナーを用いる構造では、開けるときには片手で操作可能であるが、閉じるときにはファスナーの一方を手で抑えてファスナーの引手を持って開ける必要があり、両手による操作が必要になる。面ファスナーを用いる構造では、開けるときはバリバリという音がし、閉めるときには指で強く押さないと閉まり具合が良くない。また、ホックを用いる構造では、オス側ホックとメス側ホックを合わせる必要があり、位置合わせが不十分であると開いたままの状態となる。ホックには、マグネット式のホックも使用されているが、位置合わせが面倒であるという点では、バネ式のホックと変わりはない。
【０００５】
上記のように、従来のバッグ類の開閉装置は、その開操作若しくは閉操作が面倒であり、特に、使用にあたり閉状態が不十分になり易いという課題があった。
本来閉じた開口部が、開いていたり半開きになっていて、バッグの上から中身が見えると同時に、落下や盗難により財布などの内容物が紛失し易いという課題があった。
【０００６】
本発明は、上記のような課題を解決するものであり、特別な注意を払うことなく、簡単に開け閉めできる手提げバッグのようなバッグ類を提供することを目的としている。
さらに、本発明は、開口部が開いていたり半開きになっていた場合でも、開口部の片側から段階的に自然に閉鎖状態又は開放状態となり、安全性と開閉作業性に優れたバッグ類を提供することを目的としている。
また、本発明では、開口部が完全な閉状態ではない場合でも、部分的な閉状態が可能であり、安全性が確保されるバッグ類を提供することを目的としている。
【課題を解決するための手段】
【０００７】
次に、上記の課題を解決するための手段を、実施の形態に対応する図面を参照して説明する。
【０００８】
請求項１に係る本発明は、バッグ本体の開口部前後の対向部に互いに係脱自在とした一方及び他方の係止具を設けたバッグ類において、
前記一方及び他方の係止具は、互いに磁着される横長形状の磁石具により形成されており、前記磁石具は、横長形状の複数片の小磁石片が略棒状に連接して形成されていることことを特徴とするバッグ類にある。
【０００９】
請求項２に係る本発明は、バッグ本体２の開口部３内の前後に一方及び他方の蓋布片４，４を設け、一方及び他方の蓋布片４，４の対向部に互いに係脱自在とした一方及び他方の係止具５，５を設けたバッグ類において、
前記一方及び他方の係止具５，５は、互いに磁着される横長形状の磁石具６により形成されており、前記磁石具６は、横長形状の複数片の小磁石片６ａが略棒状に連接して形成されていることことを特徴とするバッグ類にある。
【００１０】
請求項１又は２に記載のバッグ類開口部の係止構造において、前記磁石具は、開口部又は蓋布片の、幅方向の略中央部の一箇所、幅方向の略中央部と略両側部の三箇所、又は略両側部の二箇所に設けることができる。
【００１１】
上記バッグ類では、バッグ本体２の開口部３が互いに磁着される横長形状の磁石具６により係脱自在に開閉されていることから、手で開口部３を前後に開き又は閉じるだけの簡単な操作により開口部３を開閉操作できる。開口部３の閉鎖状態が不完全であっても、前後の磁石具６，６の吸引力により自然に完全な閉鎖状態になる。磁石具６による一方及び他方の係止具５，５の位置が多少ずれていても、磁石具６は横長形状であって左右又は上下の係止位置のずれに係わらず、部分的な磁着が可能であり、係止閉鎖状態が確保される。
さらに、上記の構成により、開口部３の密着閉鎖状態が不十分であっても、磁石具６（６Ａ，６Ｂ）を構成する複数片の小磁石片６ａ，６ａ同士が屈曲若しくは湾曲状態となり、少なくともその一部が磁着されることから、開口部３の閉状態が確保される。
磁石具６を、一個の磁石片により形成したときには、その前後の位置合わせが面倒で、また、磁石具（磁石片）自体が全体として湾曲又は折曲されていると磁着困難であって不良品となるが、上記本発明では、複数個の小磁石片が横並びに配置されていることから、一側から他側にかけて段階的にスムーズに開閉でき、位置合わせなどによる磁着の困難性が解消される。
【００１２】
請求項３に係る本発明は、上記のバッグ類において、
前記一方及び他方の係止具５，５は、互いに磁着される磁石具６により形成され、磁石具６は、前記蓋布片４，４の略中央部に設けられた中央磁石具６Ａと、前記蓋布片４，４の略両側部に設けられた側部磁石具６Ｂ，６Ｂとよりなり、中央磁石具６Ａと側部磁石具６Ｂとの間にはバッグ本体２の内部に手先を挿入可能とした側部隙間部分７，７が形成されていることを特徴とする。
【００１３】
請求項４に係る本発明は、上記のバッグ類において、
前記一方及び他方の係止具５，５は、互いに磁着される磁石具６により形成され、磁石具６は、前記蓋布片４，４の略両側部に設けられた側部磁石具６Ｂ，６Ｂよりなり、左右の側部磁石具６Ｂ，６Ｂの間にはバッグ本体２の内部に手先を挿入可能とした中間隙間部分８が形成されていることを特徴とする。
【００１４】
上記請求項２、３、４に示すように、開口部３内の前後に一方及び他方の蓋布片４，４を設け、一方及び他方の蓋布片４，４の対向部に係止具としての磁石具を設けることにより、開口部内の容積が蓋布片の幅だけ大きくなるだけではなく、開口部が前後に多少開閉しても磁石具同志の係止動作に影響がなく、安全性の点でも優れている。
【００１５】
上記請求項３又は４のバッグ類では、磁石具６（６Ａ，６Ｂ）の磁着により閉鎖状態にある磁石具の間の隙間部分（側部隙間部分７，７、中間隙間部分８）から手を挿入することにより、スムーズに開口部３が開き、内容物を取り出すことができ、手を抜くことにより自然に磁着して閉じることになる。
【００１６】
請求項５に係る本発明は、上記のバッグ類において、前記磁石具６は、横長略矩形状又は横長略丸棒状の複数片の小磁石片６ａが、連接して形成されていることを特徴とする。
【００１７】
前記磁石具６を構成する複数片の小磁石片６ａは、略棒状に互いに端部を接触させて又は端部間に隙間を有して連接して形成されていても良い。
【００１８】
請求項６に係る本発明は、上記のバッグ類において、前記磁石具６は、前記蓋布片４，４の先端部分の内部に封入されていることを特徴とする。
【００１９】
請求項７に係る本発明は、上記のバッグ類において、前記磁石具６は横長矩形状の複数片の小磁石片６ａ，６ａ…が略棒状に連接して形成され、前記小磁石片６ａ，６ａ…が略棒状に連接した状態で、袋体９の内部に、袋体９が逢着される前に予め位置決め挿入され、該袋体９が前記蓋布片４，４の先端部分の内部に逢着されて設けられている。複数片の小磁石片６ａ，６ａ…同士は、袋体９の内部において、小間隔をおいて、或いは密着状態で連接される。
【００２０】
上記の構成により、磁石具６を構成する複数片の小磁石片６ａ，６ａ…の、蓋布片４，４の先端部分内部での位置決め取り付けが容易で正確となる。                          複数片の小磁石片６ａ，６ａ…が挿入された袋体９の挿入口又は中間部分を逢着し、又は、接着或いは溶着させることにより、小磁石片６ａ，６ａ…の位置決め取り付けが一層容易で正確となる。
【００２１】
請求項８に係る本発明は、前記一方及び他方の蓋布片４，４の両側部と、前記バッグ本体２の開口部３内面の両側部との間には、内部に手先を挿入可能とした側部開口部分１０が形成されていることを特徴とする。
【００２２】
一方及び他方の蓋布片４，４は、開口部３の全幅に亙って形成されていても良く、上記側部開口部分はなくても良い。
【発明の効果】
【００２３】
本発明に係るバッグ類では、バッグ本体の開口部が互いに磁着される横長形状の磁石具により係脱自在に開閉されていることから、手で開口部を前後に開き又は閉じるだけの簡単な操作で開口部を開閉操作できる。
開口部の閉鎖状態が不完全であっても、前後の係止具を構成する磁石具の吸引力により自然に完全な閉鎖状態になる。また、磁石具による一方及び他方の係止具の位置が多少左右にずれていても、磁石具は横長形状であって、複数個の小磁石片が横並びに配置されていることから、左右若しくは上下の係止位置のずれに係わらず、部分的な磁着が可能であり、係止閉鎖状態が確保される。
【００２４】
本発明では、開口部の密着閉鎖状態が不十分であっても、磁石具を構成する複数片の小磁石片同士が屈曲若しくは湾曲状態となり、少なくともその一部が磁着されることから、開口部３の閉状態が確保される。磁石具を、一個の磁石片により形成したときには、その前後の位置合わせが面倒で、また、磁石具（磁石片）自体が全体として湾曲又は折曲されていると磁着困難であって不良品となるが、上記本発明では、複数個の小磁石片が横並びに配置されていることから、一側から他側にかけて段階的にスムーズに開閉でき、位置合わせなどによる磁着の困難性が解消される。
【００２５】
請求項３又は４に係る本発明のバッグ類では、磁石具の磁着により閉鎖状態にある磁石具の間の隙間部分（側部隙間部分、中間隙間部分）から手を挿入することにより、スムーズに開口部が開き、内容物を取り出すことができ、手を抜くことにより自然に磁着して閉じることになり、安全性が確保され便利である。
【００２６】
請求項５に示されるように、本発明のバッグ類では、磁石具は、横長略矩形状又は横長略丸棒状の複数片の小磁石片が、連接して形成されていても良い。
【００２７】
また、前記磁石具を構成する複数片の小磁石片は、略棒状に互いに端部を接触させて又は端部間に隙間を有して連接して形成されていても良い。
【００２８】
請求項７に係る本発明は、磁石具を構成する複数片の小磁石片の、蓋布片の先端部分内部での位置決め取り付けが容易で正確となる。また、修理により磁石具の位置を修正するなどの作業も容易である。
【図面の簡単な説明】
【００２９】
【図１】本発明の実施形態１に係るバッグ類の斜視図である。
【図２】上記バッグ類の要部を拡大して示す断面図である。
【図３】（Ａ），（Ｂ）は、磁石具を構成する小磁石片の取り付け状態を示す要部拡大斜視図である。
【図４】本発明の実施形態２に係るバッグ類の斜視図である。
【図５】本発明の実施形態３に係るバッグ類の斜視図である。
【図６】本発明の実施形態４に係るバッグ類の斜視図である。
【発明を実施するための形態】
【００３０】
（実施形態１）
以下、本発明の実施形態を図面を参照して具体的に説明する。
図１乃至図３は、本発明の実施形態１を示す。
【００３１】
実施形態１のバッグ類は、手提げバッグ１であって、バッグ本体２の開口部３内の前後に一方及び他方の蓋布片４，４を設け、一方及び他方の蓋布片４，４の対向部に互いに係脱自在とした一方及び他方の係止具５，５が設けられている。
【００３２】
一方及び他方の係止具５，５は、互いに磁着される横長矩形状の磁石具６により形成されている。磁石具６は、前記蓋布片４，４の略中央部に設けられた中央磁石具６Ａと、前記蓋布片４，４の略両側部に設けられた側部磁石具６Ｂ，６Ｂとよりなり、中央磁石具６Ａと側部磁石具６Ｂとの間にはバッグ本体２の内部に手先を挿入可能とした側部隙間部分７，７が形成されている。
【００３３】
上記磁石具６は、横長形状の複数片の小磁石片６ａが棒状に連接して形成されている。小磁石片６ａは、横長矩形状であるが、丸棒状としてもよい。
側部及び中央の各磁石具６を構成する小磁石片６ａ，６ａ…は、図（図３（Ａ））では、２個の小磁石片６ａ，６ａの連接により構成されているが、３個以上の複数個の連接により構成（図３（Ｂ））されていても良い。
また、例えば、側部磁石具６Ｂ，６Ｂは２個の複数片の小磁石片６ａの連接により構成され、中央磁石具６Ａは３個の小磁石片６ａにより構成されていても良い。
磁石具６を構成する小磁石片６ａ，６ａ…の連接は、互いに密着状であっても良く、多少（数mm以下）の隙間を置いての連接であっても良い。
【００３４】
磁石具６を構成する複数の小磁石片６ａ，６ａ…は、棒板状に連接した状態で、袋体９の内部に、袋体９が逢着される前に予め位置決め挿入されている。袋体９は前記蓋布片４，４の先端部分の内部に逢着されて設けられている。磁石具６を構成する複数の小磁石片６ａ，６ａ…は、袋体９の内部に設けられた状態で移動しないように、逢着などにより固定され、又は、接着や溶着などにより、固定されている。
【００３５】
袋体９内に挿入された磁石具６（複数の小磁石片６ａ，６ａ）が、前記蓋布片４，４の略両側部と略中央部の、対向する先端部内に設けられ、互いに磁着される係止具６，６を構成している。
【００３６】
一方及び他方の蓋布片４，４の両側部と、前記バッグ本体２の開口部３内面の両側部との間には、内部に手先を挿入可能とした側部開口部分１０が形成されている。バッグ本体２の開口部３の前後の縁部には、略逆Ｕ形の持ち手１１が形成されている。持ち手は無くてもよい。
【００３７】
一方及び他方の蓋布片４，４は、開口部３の全幅に亙って形成されていても良く、この構成では、上記側部開口部分はなくても良い。
【００３８】
上記のバッグ類では、磁石具６（６Ａ，６Ｂ）の磁着により閉鎖状態にある磁石具の間の隙間部分（側部隙間部分７，７、中間隙間部分８）から手を挿入することにより、スムーズに開口部３が開き、内容物を取り出すことができ、手を抜くことにより自然に磁着して閉じることになる。
【００３９】
また上記バッグ類の製作にあたり、小磁石片６ａ，６ａ…を棒板状又は丸棒状に連接させた状態で、袋体９の内部に、袋体９が逢着される前に予め位置決め挿入させる。この袋体９を蓋布片４，４の先端部分の内部に逢着して設けるようにして、バッグ類を製作する。
【００４０】
（実施形態２）
図４は、本発明のバッグ類の実施形態２を示す。
【００４１】
実施形態２に係るバッグ類である手提げバッグ1'では、一方及び他方の係止具５，５は、互いに磁着される磁石具６により形成され、磁石具６は、蓋布片４，４の略中央部に設けられた中央磁石具６Ａよりなり、中央磁石具６Ａの両側には、バッグ本体２の内部に手先を挿入可能とした側部隙間部分７，７が形成されている。
【００４２】
（実施形態３）
図５は、本発明のバッグ類の実施形態３を示す。
【００４３】
実施形態３に係るバッグ類である手提げバッグ1'' では、一方及び他方の係止具５，５は、互いに磁着される磁石具６により形成され、磁石具６は、蓋布片４，４の略両側部に設けられた側部磁石具６Ｂ，６Ｂよりなり、左右の側部磁石具６Ｂ，６Ｂの間にはバッグ本体２の内部に手先を挿入可能とした中間隙間部分８が形成されている。
【００４４】
（実施形態４）
図６は、本発明のバッグ類の実施形態４を示す。
実施形態４に係るバッグ類である手提げバッグ1'''では、一方及び他方の係止具５，５は、互いに磁着される磁石具６により形成され、磁石具６は、バッグ本体２の開口部３の略中央部に設けられた中央磁石具６Ａにより形成されている。
【００４５】
実施形態２、３又は４において、実施形態１と対応する図の構成部分には共通の参照符号を付して、その詳細な説明は省略した。
【００４６】
本発明に係るバッグ類は、手提げバッグの他、肩掛けバッグ、セカンドバッグ、ポーチの類などのバッグ類に適応される。本発明において、上記前後の蓋布片はなくても良く、この場合には、磁石具６（中央磁石具６Ａ，側部磁石具６Ｂ）は、バッグ本体の開口部の縁部に直接設けられる。また、本発明に係るバッグ類の開口部の構造は、リュックサックや大型のバッグ類のポケット部の開口部の構造にも適応される。
【符号の説明】
【００４７】
１  手提げバッグ
２  バッグ本体
３  開口部
４  蓋布片
５  係止具
６  磁石具
６Ａ  中央磁石具
６Ｂ  側部磁石具
６ａ  小磁石片
７  側部隙間部分
８  中間隙間部分
９  袋体
１０  側部開口部分
１１  持ち手
【図１】
2018038596.tif 000003
【図２】
2018038596.tif 000004
【図３】
2018038596.tif 000005
【図４】
2018038596.tif 000006
【図５】
2018038596.tif 000007
【図６】
2018038596.tif 000008